(57)【要約】【課題】本発明の目的は、従来の害虫駆除装置では害虫を十分に駆除できていないという課題に鑑みてなされたもので、害虫に効果的に紫外線を照射することが可能な害虫駆除装置を提供することにある。【解決手段】本発明のある態様の害虫駆除装置１００は、開口部１２を有する筐体１０と、筐体１０の内部空間１０ｓに紫外線２２ｅを照射する光源部２０と、を備える。筐体１０には、光源部２０からの紫外線２２ｅを反射する反射部材３０が設けられる。【選択図】図３
2019126306.tif 000002
【特許請求の範囲】
【請求項１】
開口部を有する筐体と、
前記筐体の内部空間に紫外線を照射する光源部と、
を備え、
前記筐体には、前記光源部からの紫外線を反射する反射部材が設けられることを特徴とする害虫駆除装置。
【請求項２】
前記反射部材はアルミニウムで形成されることを特徴とする請求項１に記載の害虫駆除装置。
【請求項３】
前記反射部材の反射面は、粗面加工されていることを特徴とする請求項２に記載の害虫駆除装置。
【請求項４】
前記反射部材は前記開口部を避けた位置に設けられることを特徴とする請求項１から３のいずれか１項に記載の害虫駆除装置。
【請求項５】
前記光源部は、前記筐体の長手方向に沿って紫外線を出射するように配置されることを特徴とする請求項１から４のいずれか１項に記載の害虫駆除装置。
【請求項６】
本害虫駆除装置から漏れる紫外線量を低減するための遮光部材を備えることを特徴とする請求項１から５のいずれか１項に記載の害虫駆除装置。
【発明の詳細な説明】
【技術分野】
【０００１】
本発明は、紫外線を用いた害虫駆除装置に関する。
【背景技術】
【０００２】
ゴキブリなどの害虫を駆除する装置が知られている。例えば、特許文献１には、暗室箱に設けた紫外光ランプを点灯する事により、この暗室箱内に侵入したゴキブリに紫外光をあびさせて駆除するゴキブリ駆除機が記載されている。
【先行技術文献】
【特許文献】
【０００３】
【特許文献１】特開平６−２７６９０６号公報
【発明の概要】
【発明が解決しようとする課題】
【０００４】
本発明者は、害虫駆除装置について以下の認識を得た。
害虫駆除に対するニーズは強い。例えば、オゾンを用いて小動物を排除することが考えられる。この場合、小動物がオゾンを感知し、オゾンの作用で回避行動させることにより、小動物を排除することができる。このような装置を設置することにより、その周辺で小動物の出現を防止することが可能と考える。しかし、小動物を駆除するわけではないので、広範囲で効果を出すためには多数の装置を設置することになる。換言すれば、広範囲で害虫対策するためには、排除では足りず効果的に駆除することが望ましい。
【０００５】
また、特許文献１に記載の技術は、単に暗室箱内に侵入したゴキブリに紫外光をあびさせることに止まり、害虫を効果的に駆除するには十分とはいえない。
このことから、本発明者は、特許文献１に記載の害虫駆除装置には、害虫に効果的に紫外線を照射する観点で改善すべき課題があることを認識した。
【０００６】
本発明の目的は、このような課題に鑑みてなされたもので、害虫に効果的に紫外線を照射することが可能な害虫駆除装置を提供することにある。
【課題を解決するための手段】
【０００７】
上記課題を解決するために、本発明のある態様の害虫駆除装置は、開口部を有する筐体と、筐体の内部空間に紫外線を照射する光源部と、を備える。筐体には、光源部からの紫外線を反射する反射部材が設けられる。
【０００８】
この態様によると、光源からの直接光に加えて反射部材で反射させた反射光を害虫に照射することができる。
【０００９】
なお、以上の構成要素の任意の組み合わせや、本発明の構成要素や表現を方法、システムなどの間で相互に置換したものもまた、本発明の態様として有効である。
【発明の効果】
【００１０】
本発明によれば、害虫に効果的に紫外線を照射することが可能な害虫駆除装置を提供することができる。
【図面の簡単な説明】
【００１１】
【図１】第１実施形態に係る害虫駆除装置の一例を概略的に示す斜視図である。
【図２】図１の害虫駆除装置の蓋を開けた状態を概略的に示す斜視図である。
【図３】図１の害虫駆除装置のＡ−Ａ線に沿った縦断面を概略的に示す断面図である。
【図４】図１の害虫駆除装置の電気回路の一例を示す回路図である。
【図５】第２実施形態に係る害虫駆除装置の一例を概略的に示す斜視図である。
【図６】図５の害虫駆除装置を概略的に示す分解斜視図である。
【図７】図５の害虫駆除装置の断面を概略的に示す断面図である。
【図８】第３実施形態に係る害虫駆除装置の一例を概略的に示す斜視図である。
【図９】第４実施形態に係る害虫駆除装置の一例を概略的に示す斜視図である。
【図１０】ゴキブリを概略的に示す図である。
【図１１】図１０のゴキブリのＤ−Ｄ線に沿った断面を概略的に示す図である。
【発明を実施するための形態】
【００１２】
本発明者は、害虫駆除装置について研究し、以下の知見を得た。
以下、害虫としてゴキブリを例に説明する。ゴキブリを２５４ｎｍの紫外線が当たる環境で２週間飼育し続けると、ほとんどの成虫が死滅することが判った。この間、ゴキブリは、紫外線を忌避するのではなく、自ら紫外線を浴びて死滅している。これは、ゴキブリ自身は紫外線を危険な光と認識していないか、この波長の光が見えない状況にあり、紫外線を長期間浴びることにより体内に異常をきたし、死に至るものと考えられる。この習性を利用してゴキブリを駆除することが考えられる。例えば、餌、フェロモン、温度などによってゴキブリを誘引し、そこに紫外線を照射する場所を提供することによって、そのゴキブリを駆除することが期待できる。
【００１３】
さらに、本発明者は、昆虫のホルモン分泌器官であるアラタ体に着目した。図１０は、ゴキブリを概略的に示す図である。図１１は、ゴキブリのＤ−Ｄ線に沿った断面を概略的に示す図である。これらの図に示すように、アラタ体はゴキブリの脳の後側であって頭部と胴部の間に存在している。本発明者は、アラタ体に紫外線を作用させてその機能を阻害または昂進させることによりゴキブリを死滅させることを検討した。この結果、アラタ体に紫外線を作用させることにより成長ホルモンの異常分泌を促す効果が期待でき、特に、ゴキブリの頭部と胴部との間の間隙に多方向から紫外線を照射することにより高い駆除効果が得られるという知見を得た。また、幼虫の段階で胴部の腹側の柔らかい表皮を紫外線で硬化させ、脱皮を困難にすることにより死滅させる効果も期待できる。これらの場合、ゴキブリは、紫外線を浴びて直ちに死滅するケースより、巣などに戻ってやがて死滅するケースの方が多く観察された。
【００１４】
本実施の形態は、このような知見に基づき完成されたものであり、害虫に効果的に紫外線を照射することができ、害虫の効率的な駆除を図ることができる。以下に具体的な構成と特徴を説明する。
【００１５】
以下、本発明を好適な実施の形態をもとに各図面を参照しながら説明する。実施の形態および変形例では、同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１６】
なお、以下の説明において、「平行」、「垂直」は、完全な平行、垂直だけではなく、誤差の範囲で平行、垂直からずれている場合も含むものとする。また、「略」は、おおよその範囲で同一であるという意味である。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１７】
［第１実施形態］
図１〜図３を参照して、第１実施形態に係る害虫駆除装置１００の構成について説明する。図１は、本実施形態に係る害虫駆除装置１００を概略的に示す斜視図である。図２は、害虫駆除装置１００の蓋１０ｆを開けた状態を概略的に示す斜視図である。図３は、害虫駆除装置１００のＡ−Ａ線に沿った縦断面を概略的に示す断面図である。
【００１８】
以下、主にＸＹＺ直交座標系をもとに説明する。Ｘ軸、Ｙ軸、Ｚ軸のそれぞれの正の方向は、各図における矢印の方向に規定され、負の方向は、矢印と逆向きの方向に規定される。また、Ｘ軸に沿った方向を「左側」、「右側」と、Ｙ軸に沿った方向を「前側」、「後側」と、Ｚ軸に沿った方向を「上側」、「下側」ということがある。このような方向の表記は害虫駆除装置１００の使用姿勢を制限するものではなく、害虫駆除装置１００は、用途に応じて任意の姿勢で使用されうる。
【００１９】
第１実施形態に係る害虫駆除装置１００は、筐体１０と、光源部２０と、反射部材３０と、遮光部材４０と、を主に含む。筐体１０は、内部空間１０ｓを包囲する包囲部材として機能する。筐体１０は、Ｘ軸方向寸法がＹ軸方向寸法より大きく、Ｚ軸方向寸法がＹ軸方向寸法より小さい直方体の箱型形状を有する。この例では、Ｘ軸方向を「長手方向」ということがある。筐体１０を備えることにより、光の漏れにくい限られた空間に集めた害虫に紫外線を効率的に照射することができる。筐体１０は、紙や樹脂などの薄板状の素材で形成することができる。この例では、筐体１０は、紙より耐久性に優れた樹脂製の薄板で形成されている。
【００２０】
筐体１０は、それぞれ内部空間１０ｓに面する、正面部１０ａと、背面部１０ｂと、一対の側面部１０ｃと、上面部１０ｄと、下面部１０ｅと、蓋１０ｆと、を有する。正面部１０ａと背面部１０ｂとは内部空間１０ｓを挟んでＹ軸方向に対向する。一対の側面部１０ｃは内部空間１０ｓを挟んでＸ軸方向に対向する。上面部１０ｄと下面部１０ｅは内部空間１０ｓを挟んでＺ軸方向に対向する。
【００２１】
筐体１０には、害虫が進入するための１または複数の開口部１２が設けられる。この例では、開口部１２は、Ｘ軸方向に対向する各側面部１０ｃの下部に設けられた開口部１２ａ、１２ｂを含む。この例では、開口部１２ａ、１２ｂは、側面視矩形状の開口である。この開口のＹ軸方向幅は２０ｍｍで、Ｚ軸方向高さは３ｍｍである。
【００２２】
筐体１０の上面部１０ｄには、誘引物４２を出し入れするための上面開口１０ｈが設けられる。この例では、上面開口１０ｈは、Ｘ軸方向の略中央部に設けられた上面視で略矩形の開口部である。一例として、上面開口１０ｈは、誘引物４２を摘まんだ指を出し入れ可能な程度の大きさに形成される。
【００２３】
筐体１０の上面部１０ｄには、上面開口１０ｈを閉じるための蓋１０ｆが設けられる。蓋１０ｆは、筐体１０本体に取り付けられて上面開口１０ｈを開閉可能な扉状の部材であってもよいし、筐体１０本体から取り外し可能な部材であってもよい。蓋１０ｆは、上面開口１０ｈの大きさにマージンを加えた大きさに形成される。一例として、蓋１０ｆは、筐体１０の内部が見えないように上面開口１０ｈを覆う上面視略矩形の薄板体である。蓋１０ｆのＸ軸方向に延びる一辺は、筐体１０の本体に対して開閉自在に接続されていてもよい。
【００２４】
害虫を効率的に駆除するためには、害虫を筐体１０の内部に誘引することが望ましい。そこで、第１実施形態は、筐体１０の内部に、餌などの誘引物４２を載置するための載置部１０ｇが設けられる。載置部１０ｇは、蓋１０ｆを開いた状態で、筐体１０内部の誘引物４２をセット可能な位置に設けられる。この例では、載置部１０ｇは、下面部１０ｅのＸ軸方向の略中央部に設けられた平坦な領域である。載置部１０ｇは、誘引物４２の大きさに十分なマージンを加えた大きさを備える。
【００２５】
誘引物４２は、害虫を吸引する効果を備えるものであれば特別な限定はない。一例として、誘引物４２は、害虫の餌や吸引性フェロモン材などを含んでもよい。誘引物４２は、長期間放置しても劣化が少ないことが望ましい。
【００２６】
筐体１０には、内部空間１０ｓに紫外線２０ｅを照射する光源部２０が設けられる。光源部２０は、単一波長の光を出力するようにしてもよいし、複数の波長の光を出力するようにしてもよい。この例では、光源部２０は、２５０ｎｍ〜３２０ｎｍの紫外線を出力する。光源部２０は、水銀ランプや紫外線ＬＥＤなど、様々な原理に基づく発光素子を含んでもよい。この例では、光源部２０の発光素子２２として紫外線を発光するＬＥＤ（Light Emitting Diode）を採用している。このようなＬＥＤとして、窒化アルミニウムガリウム（ＡｌＧａＮ）系のＬＥＤが知られている。
【００２７】
光源部２０は、筐体１０内部の任意の位置に配置されてもよい。この例では、光源部２０は、一方の側面部１０ｃにおいて開口部１２の上側に設けられる。光源部２０からの紫外線２０ｅは他方の側面部１０ｃに向かって長手方向（Ｘ軸方向）に照射される。この場合、筐体１０の長手方向に紫外線を出射することにより紫外線の利用効率を高めることができる。利用効率を高めることにより、少数の発光素子でも所望の紫外線量を得られるので、低コスト化、低消費電力化を図ることができる。
【００２８】
害虫駆除装置１００から外部に漏れる紫外線量は少ないことが望ましい。そこで、第１実施形態は、害虫駆除装置１００から外部に放出される紫外線を低減するための遮光部材４０を備える。遮光部材４０を設けることにより、害虫駆除装置１００から外部に漏れる紫外線量が低減され、紫外線漏れによる周辺の劣化を抑制することができる。遮光部材４０は、筐体１０の内部において開口部１２に向かう紫外線２０ｅを遮る位置と、開口部１２から外部に放出される紫外線を遮る位置との少なくとも一方に設けられてもよい。この例では、遮光部材４０は、筐体１０の内部において、開口部１２ａ、１２ｂからＸ軸方向中央側に離れた位置に設けられた２つの遮光部材４０ａ、４０ｂを含む。遮光部材４０ａ、４０ｂは、Ｙ軸方向に延びる長辺と、Ｚ軸方向に延びる短辺と、を有する短冊状の薄板体である。遮光部材４０の上端は、開口部１２の開口上端よりも高く設定されてもよい。
【００２９】
（反射部材）
駆除効果を高めるためには、多方向から害虫に紫外線を照射することが望ましい。そこで、第１実施形態は、筐体１０内部に、光源部２０からの紫外線２０ｅを反射する高反射材料からなる反射部材３０が設けられる。反射部材３０を備えることにより、光源部２０からの直接光に加えて、反射部材３０で反射された反射光を害虫に照射することができる。また、複数の反射部材３０の間で反射が繰り返されることによって、より多くの方向から紫外線を害虫に照射することができる。
【００３０】
反射部材３０は、筐体１０の壁部とは別に設けられてもよいが、この例では、筐体１０の内壁の一部または全部が反射部材３０として機能する。特に、筐体１０の内壁の一部または全部は高い紫外線反射率を有する高反射材料で形成されている。一例として、筐体１０の内壁の一部または全部はアルミニウムで形成されてもよい。この例では、筐体１０の樹脂製の壁の内面にアルミニウム層が積層されている。アルミニウム層は、アルミニウムフィルムを貼り付けて形成してもよいし、アルミニウムを蒸着などによって堆積させて形成されてもよい。アルミニウム層は、好ましくは下面部１０ｅに、より好ましくはこれに加えて各側面部１０ｃに、さらに好ましくはこれらに加えて上面部１０ｄに、一層好ましくはこれらに加えて蓋１０ｆに、備えてもよい。
【００３１】
害虫に多方向から紫外線を照射するためには、筐体１０内部に紫外線を拡散することが望ましい。そこで、第１実施形態は、反射部材３０の反射面は粗面加工されている。粗面加工により、反射部材３０の反射面のアルミニウム表面に微細な凹凸形状を形成し、紫外線を乱反射させることができる。紫外線を乱反射させることにより害虫の体表面の全体、特に頭部と胴部の間の隙間にも紫外線を照射することができる。また、滑りやすい鏡面に比べて、害虫の走行性が良くなり、害虫に不快感や警戒感を与えず、害虫が筐体１０内部に滞在する時間を長くすることができる。
【００３２】
粗面加工は例えば細かい凹凸からなるつや消し面（単に「消し面」と称されることもある）であってもよい。この凹凸は目視で確認できない程度の凹凸であってもよい。粗面加工は、例えば、アルミニウム箔を２枚重ねて圧延する重ね圧延によって箔と箔が接する内面に形成することができる。反射部材３０の反射面は、粗面加工に加えて目視可能な大きさの凹凸を含んでもよい。つまり、反射面は複数の大きさの凹凸を含んでもよい。
【００３３】
開口部１２から漏れる紫外線を低減するために、開口部１２およびその周辺を避けた位置に反射部材３０を設けてもよい。
【００３４】
害虫を効果的に誘引するためには、筐体１０を加温することが望ましい。そこで、第１実施形態は、筐体１０を加温するヒータ部１４を備える。この例では、ヒータ部１４は筐体１０の下面部１０ｅの下側に設けられている。特に、ヒータ部１４は載置部１０ｇの下部に設けられてもよい。ヒータ部１４は通電されることにより発熱し、載置部１０ｇとその周辺を加温する。ヒータ部１４は、載置部１０ｇを３０℃〜４０℃程度に維持する機能を備えてもよい。ヒータ部１４は、通電により発熱する抵抗体であってもよく、この抵抗体は載置部１０ｇに固定されてもよい。
【００３５】
次に、図４を参照して害虫駆除装置１００の電気回路について説明する。図４は、害虫駆除装置１００の電気回路の一例を示す回路図である。発光素子２２に通電する回路は、ヒータ部１４に通電する回路とは別々に設けられてもよいが、この例では、一体に設けられている。図４に示すように、発光素子２２とヒータ部１４とは直列接続されており、１つの電流源Ｇｉからの電流Ｉｄが流れる。この場合、回路が簡素化され、また省電力化を図ることができる。
【００３６】
害虫駆除装置１００の電源は、蓄電池や乾電池などの電池であってもよいし、商用ＡＣ電源であってもよい。
【００３７】
以上のように構成された害虫駆除装置１００は、少ない消費電力で使用することができる。一例として、発光素子２２の消費電力を２Ｗとし、ヒータ部１４の消費電力を１〜２Ｗとし、全体の消費電力を４Ｗとすることができる。この場合、２４時間使用しても１日当たりの電力量は９６Ｗｈで、電力料金を抑えることができる。発光素子２２としてＬＥＤを採用することで長寿命駆動が可能である。また、モータなどの可動部品がないため、メンテナンスフリーの装置となり、長期間使用することが可能である。また、害虫駆除装置１００は、紙製の筐体と粘着剤でゴキブリを捕獲する装置とは異なり、消耗品ではなく繰り返し使用することが可能であり、長い目で見た際には経済的である。また粘着剤で装置周辺を汚すこともないので、クリーンな環境を維持できる。
【００３８】
また、毒餌を用いた駆除装置では一旦薬剤耐性をつけてしまうと、その子孫を含めて効果がなくなるのに対し、害虫駆除装置１００では効果が継続的に維持される利点もある。害虫駆除装置１００をゴキブリの通り道となる場所に設置した実験では、１ヶ月の使用によりゴキブリの視認回数は大幅に減少した。
【００３９】
［第２実施形態］
図５〜図７を参照して、第２実施形態に係る害虫駆除装置２００の構成について説明する。図５は、第２実施形態に係る害虫駆除装置２００を概略的に示す斜視図である。図６は、害虫駆除装置２００を概略的に示す分解斜視図である。図７は、害虫駆除装置２００の縦断面を概略的に示す断面図である。害虫駆除装置２００は、第１実施形態に係る害虫駆除装置１００に対して、筐体２１０および蓋２１０ｆの構成が異なり、光源部２０が蓋２１０ｆに設けられ、筐体２１０の内部に仕切部材４６を備える点で相違し、その他の構成は同様である。したがって、重複する説明を省き、第１実施形態と相違する構成について重点的に説明する。
【００４０】
筐体２１０は、Ｘ軸方向寸法がＹ軸方向寸法より大きく、Ｚ軸方向寸法がＹ軸方向寸法より小さい箱型形状を有する。筐体２１０は、上面視において、長方形の各角に斜辺が形成された八角形の外周輪郭（以下、八角形Ｓという）を呈する。この八角形ＳはＸ軸方向に伸びる２つの長辺とＹ軸方向に伸びる２つの短辺と、長辺と短辺とを繋ぐ４つの斜辺とを有する。
【００４１】
筐体２１０は、それぞれ内部空間１０ｓに面する、正面部２１０ａと、背面部２１０ｂと、一対の側面部２１０ｃと、上面部２１０ｄと、下面部２１０ｅと、蓋２１０ｆと、４つの斜面１１ｃ〜１１ｆと、を有する。正面部２１０ａおよび背面部２１０ｂは、八角形Ｓの２つの長辺からＺ軸方向に延在し、一対の側面部２１０ｃは、八角形Ｓの２つの短辺からＺ軸方向に延在する。４つの斜面１１ｃ〜１１ｆは、八角形Ｓの４つの斜辺からＺ軸方向に延在する。正面部２１０ａと背面部２１０ｂとは内部空間１０ｓを挟んでＹ軸方向に対向する。一対の側面部２１０ｃは内部空間１０ｓを挟んでＸ軸方向に対向する。上面部２１０ｄと下面部２１０ｅは内部空間１０ｓを挟んでＺ軸方向に対向する。
【００４２】
開口部１２は、４つの開口部１２ｃ、１２ｄ、１２ｅ、１２ｆを含む点で第１実施形態と相違する。４つの開口部１２ｃ〜１２ｆは、筐体２１０の４つの斜面１１ｃ〜１１ｆの下部に設けられる。この場合、害虫が筐体２１０内に入り込みやすく、駆除効果が高まることが期待される。
【００４３】
筐体２１０の上面部２１０ｄには、誘引物４２を出し入れするための上面開口２１０ｈが設けられる。この例では、上面開口２１０ｈは、上面視の筐体２１０の八角形Ｓと相似する八角形を呈する。
【００４４】
蓋２１０ｆは、筐体２１０本体に対して着脱可能に設けられ、上面開口２１０ｈを覆うキャップ状の部材である。この例では、蓋２１０ｆは、上面開口２１０ｈの大きさに十分なマージンを加えた大きさに形成される。一例として、蓋２１０ｆは、上面視八角形の八角錐台形状を有する。蓋２１０ｆは、ドーム形状であってもよい。
【００４５】
第２実施形態において、光源部２０は、蓋２１０ｆの内側に設けられ、上面部２１０ｄよりも高い位置から下向（Ｚ軸方向）に紫外線２０ｅを発する。この場合、紫外線２０ｅが低い位置から出射される場合より、下面部２１０ｅに届く光が広がり強度分布が平坦になる。この例では、光源部２０は、蓋２１０ｆのＸ軸方向およびＹ軸方向の中央部分またはその近傍に配置されている。蓋２１０ｆの内面を高反射材料で形成することにより、凹面鏡のように作用させて強度分布を一層平坦にすることができる。また、本実施形態では紫外線２０ｅが上方から放出され、下面部２１０ｅで反射されるので、より高い照度で害虫の胴体腹部側に紫外線が照射される。これにより、害虫の胴体腹部側の硬化作用を高め、脱皮を困難にすることができる。また、場所によっては、光源部２０からの紫外線２０ｅを害虫の頭部と胴体部の間の隙間に直接照射することができる。
【００４６】
第２実施形態では、遮光部材４０は、筐体２１０の内部において、各開口部１２ｃ〜１２ｆから中央側に離れた位置に設けられた４つの遮光部材４０ｃ〜４０ｆを含む。遮光部材４０ｃ〜４０ｆは、各斜面１１ｃ〜１１ｆに平行に延びる長辺と、Ｚ軸方向に延びる短辺とを有する短冊状の薄板体である。
【００４７】
害虫に紫外線を照射する時間を長くするために、害虫が筐体２１０内に滞在する時間は長いことが望ましい。そこで、害虫駆除装置２００の内部には、害虫の目隠しとして機能する仕切部材４６が設けられる。例えば、ゴキブリは暗くて狭い空間を好む傾向があり、仕切部材４６は、空間を仕切ってゴキブリが好む狭い空間を形成することができる。この場合、ゴキブリにとって好ましい空間を提供し、ゴキブリの滞在時間を長くすることができる。
【００４８】
仕切部材４６の形状に特別な限定はない。この例では、仕切部材４６は、下面部２１０ｅから上向に伸びる壁部材であり、壁面に垂直な方向から視て、Ｚ軸方向の短辺を有する略矩形状の薄板状体である。仕切部材４６の高さ寸法は、害虫（ゴキブリ）の高さ程度が好ましく、例えば３ｍｍであってもよい。仕切部材４６は、害虫が好むコーナ形状を形成するように、上面視でＶ字状の折り曲げ部が設けられている。図６の例では、仕切部材４６は、載置部１０ｇの周囲を囲むように配置された４つの仕切部材４６ａ、４６ｂ、４６ｃ、４６ｄを含む。仕切部材４６ａ、４６ｂは載置部１０ｇを挟んで対向し、仕切部材４６ｃ、４６ｄは載置部１０ｇを挟んで対向している。仕切部材４６は、樹脂製であってもよいし、表面にアルミニウム層を備えてもよいし、紙などその他の素材製であってもよい。
【００４９】
以上のように構成された害虫駆除装置２００は、害虫駆除装置１００と同様の作用効果を奏する。
【００５０】
［第３実施形態］
以下、図８を参照して、第３実施形態に係る害虫駆除装置３００の構成について説明する。図８は、第３実施形態に係る害虫駆除装置３００を概略的に示す斜視図である。害虫駆除装置３００は、第１実施形態に係る害虫駆除装置１００に対して、遮光部材４０の構成が異なり、その他の構成は同様である。したがって、重複する説明を省き、第１実施形態と相違する構成について重点的に説明する。
【００５１】
第３実施形態は、筐体１０の外部に設けられた遮光部材４０を有する点で第１実施形態と相違する。第３実施形態において、遮光部材４０は、筐体１０の開口部１２ａ、１２ｂから外側にＸ軸方向に離れた位置に設けられた遮光部材４０ｈ、４０ｊを含む。遮光部材４０ｈ、４０ｊは、Ｚ軸方向に延びる短辺を有する短冊状の薄板体で、上面視において、筐体１０から離れる方向に膨らんだ円弧状を呈する。遮光部材４０ｈは、開口部１２ａに対応して設けられ、遮光部材４０ｊは、開口部１２ｂに対応して設けられる。図８の例では、筐体１０は、下面部１０ｅの外縁から外向きに張り出す張出部１０ｍを備えており、遮光部材４０ｈ、４０ｊは、張出部１０ｍ上に設けられている。張出部１０ｍは、下面部１０ｅと一体に形成されてもよいし、下面部１０ｅとは別体の部材であってもよい。
【００５２】
以上のように構成された害虫駆除装置３００は、害虫駆除装置１００と同様の作用効果を奏する。
【００５３】
［第４実施形態］
以下、図９を参照して、第４実施形態に係る害虫駆除装置４００の構成について説明する。図９は、第４実施形態に係る害虫駆除装置４００を概略的に示す斜視図である。害虫駆除装置４００は、第１実施形態に係る害虫駆除装置１００に対して、開口部１２および遮光部材４０の構成が異なり、その他の構成は同様である。したがって、重複する説明を省き、第１実施形態と相違する構成について重点的に説明する。
【００５４】
第４実施形態は、開口部１２が筐体１０の正面部１０ａの下部にＸ軸方向に離間して設けられる２つの開口部１２ｍ、１２ｎを含み、遮光部材４０が筐体１０の外部に設けられる２つの遮光部材４０ｍ、４０ｎを含む点で第１実施形態と相違する。図９の例では、開口部１２ｍ、１２ｎは、正面部１０ａ下部のＸ軸方向の両端部近傍に配置されている。
【００５５】
遮光部材４０ｍ、４０ｎは、開口部１２ｍ、１２ｎにつながる通路Ｐを覆うトンネル状の部材である。この例では、遮光部材４０ｍ、４０ｎは、下側が開放された角筒状の部材である。開口部１２ｍ、１２ｎにつながる通路Ｐは途中で曲がっていてもよく、この場合、遮光部材４０ｍ、４０ｎも通路に沿って曲がっていてもよい。図９の例では、筐体１０は、下面部１０ｅからＹ軸方向外向きに張り出す張出部１０ｎを備えており、遮光部材４０ｍ、４０ｎは、張出部１０ｎ上に設けられている。張出部１０ｎは、下面部１０ｅと一体に形成されてもよいし、下面部１０ｅとは別体の部材であってもよい。
【００５６】
以上のように構成された害虫駆除装置４００は、害虫駆除装置１００と同様の作用効果を奏する。
【００５７】
以上、本発明の各実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００５８】
以下、変形例について説明する。変形例の図面および説明では、実施形態と同一または同等の構成要素、部材には、同一の符号を付する。実施形態と重複する説明を適宜省略し、実施形態と相違する構成について重点的に説明する。
【００５９】
実施形態の説明では、開口部１２の数が２または４である例を示したが、開口部１２の数に限定はなく、開口部１２の数は１つ、３つまたは５つ以上であってもよい。
実施形態の説明では、誘引物を出し入れする開口を上面部に設ける例を示したが、開口を上面に設けることは必須ではない。例えば、誘引物を出し入れする開口は側面に設けられてもよい。
【００６０】
実施形態の説明では、光源部２０を側面側または上面側に設ける例を示したが、これに限定されない。例えば、光源部２０は下面に設けられてもよい。
実施形態の説明では、一つの光源部２０を備える例を示したが、これに限定されない。光源部２０の数は２つ以上であってもよい。
実施形態の説明では、光源部２０を筐体内に設ける例を示したが、これに限定されない。例えば、筐体とは別に設けた発光部からの紫外線を光ファイバーなどで筐体内に供給するようにしてもよい。この場合、一つの発光部から複数の筐体に紫外線を供給するようにしてもよい。
【００６１】
実施形態の説明では誘引物４２として餌を用いる例を示したが、餌を含めて誘引物４２を用いることは必須ではない。
遮光部材４０と仕切部材４６の表面の一部または全部は、アルミニウムなどの高い紫外線反射率を有する高反射材料で形成されてもよい。
遮光部材４０は、筐体内部に設けられるものと筐体外部に設けられるものの両方を含んでもよい。
【００６２】
筐体内において害虫の存在を検知するセンサを備え、このセンサの検知結果に基づいて光源部２０の発する紫外線量を制御するようにしてもよい。例えば、害虫の存在を検知していないときは光源部２０の発光を停止するようにしてもよい。
【００６３】
上述の各変形例は第１実施形態と同様の作用・効果を奏する。
【００６４】
上述した各実施形態と変形例の任意の組み合わせもまた本発明の実施形態として有用である。組み合わせによって生じる新たな実施形態は、組み合わされる各実施形態および変形例それぞれの効果をあわせもつ。
【００６５】
次に、本発明の一態様の概要について説明する。本発明のある態様の害虫駆除装置は、開口部を有する筐体と、筐体の内部空間に紫外線を照射する光源部と、を備え、筐体には、光源部からの紫外線を反射する反射部材が設けられる。この態様によれば、反射部材で反射させた反射光を害虫に照射することができる。特に、害虫の胴部の腹側の柔らかい表皮に紫外線を照射して表皮を硬化させ、脱皮を困難にして死滅させることができる。
【００６６】
反射部材はアルミニウムで形成されてもよい。この場合、アルミニウムは紫外線の反射率が高く、反射時のエネルギーロスが少ないので、害虫の胴部の腹側に当たる紫外線量を増大することができる。
【００６７】
反射部材の反射面は、粗面加工されてもよい。この場合、粗面加工された反射面で紫外線を乱反射して、害虫に多方向から紫外線を照射することができる。
【００６８】
反射部材は開口部を避けた位置に設けられてもよい。この場合、開口部から外部に漏れる紫外線量を抑制することができる。
【００６９】
光源部は、筐体の長手方向に沿って紫外線を出射するように配置されてもよい。この場合、光源部からの紫外線が内部空間の長手方向に沿って進行するため、直接光が当たる範囲が拡がり、紫外線の利用効率を高めることができる。
【００７０】
本害虫駆除装置から漏れる紫外線量を低減するための遮光部材を備えてもよい。この場合、漏れた紫外線による周囲への影響を抑制することができる。
【符号の説明】
【００７１】
１０・・筐体、  １０ｓ・・内部空間、  １２・・開口部、  １４・・ヒータ部、  ２０・・光源部、  ２０ｅ・・紫外線、  ２２・・発光素子、  ３０・・反射部材、  ４０・・遮光部材、  ４２・・誘引物、  ４６・・仕切部材、  １００、２００、３００、４００・・害虫駆除装置。
【図１】
2019126306.tif 000003
【図２】
2019126306.tif 000004
【図３】
2019126306.tif 000005
【図４】
2019126306.tif 000006
【図５】
2019126306.tif 000007
【図６】
2019126306.tif 000008
【図７】
2019126306.tif 000009
【図８】
2019126306.tif 000010
【図９】
2019126306.tif 000011
【図１０】
2019126306.tif 000012
【図１１】
2019126306.tif 000013